(57)【要約】【課題】装置全体を減量コンパクト化すると共に、クレーン等の重機を使用しなくても手動で容易に移動させることができ、しかも手動や自動による繰り返し移動によって、広範囲の切削研磨加工が可能となるようにする。【解決手段】マグネットベース１ごとスライド機構部２の左右両端側を持ち上げて前後方向に移動可能とした昇降式移動手段３１を備え、該昇降式移動手段３１は、スライド機構部２の左右両端側下面に各配設されて当該スライド機構部２を持ち上げ前後移動させるよう下部に車輪３２を備えた油圧式ジャッキ機構部によって構成するか、又は、スライド機構部２の左右両端側に各付設された油圧シリンダ内蔵ブラケット４１と、該油圧シリンダ内蔵ブラケット４１によるシリンダの油圧調整を介して昇降自在とした車輪又はキャタピラー付車輪４３，４６とによって構成する。【選択図】図１
2015217455.tif 000002
【特許請求の範囲】
【請求項１】
電磁マグネットによりプレス機械の台座盤に対して吸着離脱可能とされたマグネットベースと、該マグネットベース上で左右に幅広となって固設されたスライド機構部と、当該スライド機構部に対して任意のスライド送りピッチで左右方向に沿って水平移動可能に設けられた切削機構部と、該切削機構部に取り替え自在に設けられたカッタが上下方向に調整自在に設けられて成るマグネット固定式コンパクトフライスであって、前記マグネットベースごとスライド機構部の左右両端側を持ち上げて前後方向に移動可能とした昇降式移動手段を備えたことを特徴とするマグネット固定式コンパクトフライス。
【請求項２】
昇降式移動手段は、前記スライド機構部の左右両端側下面に各配設されて当該スライド機構部を持ち上げ前後移動させるよう下部に車輪を備えた油圧式ジャッキ機構部によって構成されて成る請求項１記載のマグネット固定式コンパクトフライス。
【請求項３】
昇降式移動手段は、前記スライド機構部の左右両端側に各付設された油圧シリンダ内蔵ブラケットと、該油圧シリンダ内蔵ブラケットによるシリンダの油圧調整を介して昇降自在とした車輪又はキャタピラー付車輪とによって構成されて成る請求項１記載のマグネット固定式コンパクトフライス。
【請求項４】
油圧シリンダ内蔵ブラケットは、操作盤からのパスワードでデジタル化した無線信号により電磁弁を開閉させることで油圧調整可能とした請求項３記載のマグネット固定式コンパクトフライス。
【請求項５】
請求項１乃至４のいずれか記載のマグネット固定式コンパクトフライスによる移動式加工法であって、前記昇降式移動手段によってマグネットベースごとスライド機構部の左右両端側を持ち上げてプレス機械の台座盤の切削位置まで移動させる工程と、前記昇降式移動手段によってスライド機構部を下降させてマグネットベースを台座盤に吸着させる工程と、切削機構部のカッタによって切削加工する工程と、切削加工後にマグネットベースによる台座盤に対する吸着を解除させ、前記昇降式移動手段によってマグネットベースごとスライド機構部の左右両端側を再度持ち上げる工程と、プレス機械の台座盤の新たな切削位置まで移動させる工程と、を順次繰り返すものとしたことを特徴とするマグネット固定式コンパクトフライスによる移動式加工法。
【発明の詳細な説明】
【技術分野】
【０００１】
本発明は、主として鍛造プレス、板金プレス等において、金型を載置する台座盤の上面を例えば１ｍｍの３／１００程度の範囲の仕上精度に加工するためのコンパクトで且つ移動可能なマグネット固定式コンパクトフライス及び移動式加工法に関する。
【背景技術】
【０００２】
従来におけるマグネット固定式フライスとしては、例えば特許文献１に開示されているように、台座盤上面の研磨を手動ではなく、機械的に効率良く実施し得るようにしたフライスユニットが提供されている。しかもこの装置はトラック等によって自由に持ち運び可能であり、簡易に大型プレス機械の台座盤上に設置し、該フライスユニットを逐次移動させながら効率的に台座盤の平削を実施し得るようにしたものである。
【０００３】
すなわち、このフライスユニットは、プレス機械の台座盤等に対して電磁マグネットによりベースプレートを吸着し、このべースプレートに対してＨ型フレームの水平位置を調整可能に載置することができる。そして、サドル部材がＨ型フレームの上面に摺動自在に架設され、回転シャフトを回転することによってサドル部材をフレームの長手方向に沿って移動することができる。また、サドル部材の上面には円板が回動自在に設けられ、サドル部材に対する円板の回動方向を調整することができる。更に、該円板上に固定された固定板にはラックが設けてあり、ガイドレール部材に対して回動自在に設けられた回転軸の噛合部がサドル部材のラックに噛合され、回転軸に挿し込みハンドルを嵌合して回動することにより、ガイドレール部材をサドル部材に沿って水平移動することができる構造となっている。
【０００４】
このように設置されたＨ型フレームに対して、サドル部材を移動することにより切削用アタッチメントをＨ型フレームの長手方向に移動することができ、Ｈ型フレームの端末に切削用アタッチメントを移動しておくと、円板の回動性能によって切削用アタッチメントを１８０°回転することができ、これによりＨ型フレームの一度の設置によりＨ型フレーム両側での切削研磨加工が可能となるものとしている。
【先行技術文献】
【特許文献】
【０００５】
【特許文献１】実公平８−８００７号公報
【発明の概要】
【発明が解決しようとする課題】
【０００６】
ただ、上記した特許文献１におけるフライスユニットでは、例えば約８トン強のような重量性のものであった場合、これを約２トン程度に減量コンパクト化したとしても、これを手動でもって特に前後方向に移動させことは困難であり、クレーン等の重機を使用しなければ容易には前後移動させることができないばかりか、所定の据置位置までの搬送も不可能であった。
【０００７】
しかも、前記特許文献１の場合、ガイドレール部材に対して回動自在に設けられた回転軸の噛合部がサドル部材のラックに噛合され、回転軸に挿し込みハンドルを嵌合して回動することにより、ガイドレール部材をサドル部材に沿って水平移動することができる構造となっていることから、フライスユニット全体の据置位置に対する切削用アタッチメントの外方移動ストロークがかなり狭い範囲に限られ、フライスユニットの１度の据置による切削加工範囲がこの狭い範囲内に制約されてしまっていた。
【０００８】
そこで、本発明は叙上のような従来存した諸事情に鑑み創出されたもので、装置全体を減量コンパクト化すると共に、クレーン等の重機を使用しなくても手動や自動により容易に移動させることができ、しかも上記手動や自動による繰り返し移動によって、広範囲の切削研磨加工が可能となるマグネット固定式コンパクトフライス及び移動式加工法を提供することを目的とする。
【課題を解決するための手段】
【０００９】
上述した課題を解決するために、本発明に係るマグネット固定式コンパクトフライスにあっては、電磁マグネットによりプレス機械の台座盤に対して吸着離脱可能とされたマグネットベースと、該マグネットベース上で左右に幅広となって固設されたスライド機構部と、当該スライド機構部に対して任意のスライド送りピッチで左右方向に沿って水平移動可能に設けられた切削機構部と、該切削機構部に取り替え自在に設けられたカッタが上下方向に調整自在に設けられて成る簡易型のマグネット固定式コンパクトフライスであって、前記マグネットベースごとスライド機構部の左右両端側を持ち上げて前後方向に移動可能とした昇降式移動手段を備えたことを特徴とする。
【００１０】
また、上記昇降式移動手段は、前記スライド機構部の左右両端側下面に各配設されて当該スライド機構部を持ち上げ前後移動させるよう下部に車輪を備えた油圧式ジャッキ機構部によって構成されてなることを特徴とする。
【００１１】
更に、上記昇降式移動手段は、前記スライド機構部の左右両端側に各付設された油圧シリンダ内蔵ブラケットと、該油圧シリンダ内蔵ブラケットによるシリンダの油圧調整を介して昇降自在とした車輪又はキャタピラー付車輪とによって構成されてなることを特徴とする。
【００１２】
また、上記油圧シリンダ内蔵ブラケットは、操作盤からのパスワードでデジタル化した無線信号により電磁弁を開閉させることで油圧調整可能としたことを特徴とする。
【００１３】
更に、上記本発明に係るマグネット固定式コンパクトフライスによる移動式加工法にあっては、前記昇降式移動手段によってマグネットベースごとスライド機構部の左右両端側を持ち上げてプレス機械の台座盤の切削位置まで移動させる工程と、前記昇降式移動手段によってスライド機構部を下降させてマグネットベースを台座盤に吸着させる工程と、切削機構部のカッタによって切削加工する工程と、切削加工後にマグネットベースによる台座盤に対する吸着を解除させ、前記昇降式移動手段によってマグネットベースごとスライド機構部の左右両端側を再度持ち上げる工程と、プレス機械の台座盤の新たな切削位置まで移動させる工程と、を順次繰り返すものとしたことを特徴とする。
【発明の効果】
【００１４】
本発明によれば、装置全体を減量コンパクト化すると共に、クレーン等の重機を使用しなくても手動等で容易に移動させることができ、しかも手動等による繰り返し移動によって、広範囲の切削研磨加工が可能となる。
【００１５】
すなわち、本発明に係るマグネット固定式コンパクトフライスは、電磁マグネットによりプレス機械の台座盤に対して吸着離脱可能とされたマグネットベースと、該マグネットベース上で左右に幅広となって固設されたスライド機構部と、当該スライド機構部に対して任意のスライド送りピッチで左右方向に沿って水平移動可能に設けられた切削機構部と、該切削機構部に取り替え自在に設けられたカッタが上下方向に調整自在に設けられてなる簡易型のマグネット固定式コンパクトフライスであって、マグネットベースごとスライド機構部の左右両端側を持ち上げて前後方向に移動可能とした昇降式移動手段を備えたので、マグネットベース、スライド機構部、切削機構部という簡易型の構成により、装置全体を約２トン程度に減量コンパクト化したことに伴い、前記昇降式移動手段によって装置全体を容易且つスムーズに前後移動させることができる。
【００１６】
昇降式移動手段は、前記スライド機構部の左右両端側下面に各配設されて当該スライド機構部を持ち上げ前後移動させるよう下部に車輪を備えた油圧式ジャッキ機構部によって構成されて成るので、２つの油圧式ジャッキ機構部をスライド機構部の左右両端側下面に各配設させてから、油圧によってジャッキ上側先端の支持部を上昇させることで、装置全体を容易に持ち上げることができ、しかもこのように持ち上げられている状態での装置全体の前後移動も油圧式ジャッキ機構部の下部に備えた車輪によってスムーズに行える。
【００１７】
昇降式移動手段は、前記スライド機構部の左右両端側に各付設された油圧シリンダ内蔵ブラケットと、該油圧シリンダ内蔵ブラケットによるシリンダの油圧調整を介して昇降自在とした車輪又はキャタピラー付車輪とによって構成されて成るので、油圧によって車輪又はキャタピラー付車輪を上昇位置から下降位置まで移動させることで、装置全体を容易に持ち上げることができ、しかもこのように持ち上げられている状態での装置全体の前後移動も車輪又はキャタピラー付車輪を回転駆動させることによりスムーズに行える。
【００１８】
油圧シリンダ内蔵ブラケットは、操作盤からのパスワードでデジタル化した無線信号により電磁弁を開閉させることで油圧調整可能としたので、操作盤からの遠隔操作によって油圧シリンダ内蔵ブラケットの油圧調整が行われることから、繰り返し移動による広範囲の切削研磨加工が容易となる。例えば、切削機構部で３列分を同時加工し、装置全体を移動し、更に３列分を同時加工し、という工程を繰り返すような作業を遠隔操作によって容易に行える。
【００１９】
一方、本発明に係るマグネット固定式コンパクトフライスによる移動式加工法にあっては、前記昇降式移動手段によってマグネットベースごとスライド機構部の左右両端側を持ち上げてプレス機械の台座盤の切削位置まで移動させる工程と、前記昇降式移動手段によってスライド機構部を下降させてマグネットベースを台座盤に吸着させる工程と、切削機構部のカッタによって切削加工する工程と、切削加工後にマグネットベースによる台座盤に対する吸着を解除させ、前記昇降式移動手段によってマグネットベースごとスライド機構部の左右両端側を再度持ち上げる工程と、プレス機械の台座盤の新たな切削位置まで移動させる工程と、を順次繰り返すものとしたので、昇降式移動手段を介しての手動等による繰り返し移動によって、広範囲の切削研磨加工が可能となる。
【図面の簡単な説明】
【００２０】
【図１】本発明を実施するための最良の形態における簡易型のフライスユニット全体の一実施例を示すもので、（ａ）は正面図、（ｂ）は平面図、（ｃ）は（ａ）のＡ−Ａ断面図である。
【図２（ａ）】同じくフライスユニット前面で左右方向にスライド移動可能とした切削機構部の詳細な内部構成を示す平面図である。
【図２（ｂ）】同じくフライスユニット前面で左右方向にスライド移動可能とした切削機構部の詳細な内部構成を示す切削機構部のみを断面で示した側面図である。
【図３】下部に車輪を備えた油圧式ジャッキ機構部による昇降式移動手段の一実施例を示す斜視図である。
【図４（ａ）】昇降式移動手段の他の実施例を示す平面図である。
【図４（ｂ）】同じく昇降式移動手段の他の実施例の切削機構部のみを断面で示した側面図である。
【図５（ａ）】昇降式移動手段及び切削機構部の他の実施例を示す平面図である。
【図５（ｂ）】同じく昇降式移動手段及び切削機構部の他の実施例の切削機構部のみを断面で示した側面図である。
【発明を実施するための形態】
【００２１】
以下、図面を参照して本発明の実施の形態を詳細に説明する。
【実施例１】
【００２２】
図において示される符号１は、電磁マグネットによりプレス機械の台座盤に対して吸着離脱可能とされた矩形ブロック状を呈する左右一対のマグネットベースであり、これら両マグネットベース１の上面には、図１及び図２に示すように、横幅が両マグネットベース１の各外側面同士の間隔よりも大きく成した矩形ブロック状のスライド機構部２が架設されている。なお、両マグネットベース１、スライド機構部２、及び後述する切削機構部１４をもってフライスユニット（装置本体）と称す。
【００２３】
図１（ｃ）に示すように、上記スライド機構部２にはギアモータ３が内蔵されており、このギアモータ３の出力ギア３ａはスライド機構部２の側面（図１では左側側面）から外方へ突出している。これに対応してスライド機構部２の前面には長手方向に沿って横長溝状の凹陥部５が形成され、この凹陥部５内にロッド状のピニオンギア４（螺条を周設して成る回転シャフト）が横架されている。
【００２４】
すなわち、このピニオンギア４の両端はスライド機構部２前面の凹陥部５内の左右に対向する内壁に各配設したラジアル軸受６ａ，６ｂを介して凹陥部５内で回転自在と成してあり、またピニオンギア４の一端側（図１では左側端部）はラジアル軸受６ａ位置よりも外方へ延長され、この先端には駆動ギア７が取り付けられている。前記ギアモータ３の出力ギア３ａは、スライド機構部２の側面（図１では左側側面）で回転自在となって配された伝達ギア８を介して前記駆動ギア７に噛合している。
【００２５】
而して、ピニオンギア４は、ギアモータ３の駆動によって回転される。なお、スライド機構部２の上面には、ギアモータ３を回転駆動させるための通電を行う電源コードが接続される接続端子部９が配設されている。
【００２６】
また、図１及び図２に示すように、スライド機構部２の前面には、前記凹陥部５の前側で左右長手方向に沿ってスライド可能とした矩形板状のサドル部材１０が配設されている。すなわち、スライド機構部２の前面には、図２（ｂ）に示すように、前記凹陥部５の前面側を覆うように側断面が略アリ溝状となった横長で且つ凹陥部５の縦幅よりも大きいスライドレール１１が形成され、該スライドレール１１のアリ溝形状に対応すべくサドル部材１０の背面より後方に向けて突設した側面視略スカート状のアリ溝継ぎ手部１０ａがスライドレール１１内に横スライド可能となって係合している。
【００２７】
そして、図２（ｂ）に示すように、アリ溝継ぎ手部１０ａの背面には横方向にラック１０ｂが形成されており、上記凹陥部５内で水平に配置されたピニオンギア４に噛合している。なお、スライド機構部２の上面中央には、長手方向に沿ってスライド溝１２が凹設されており、サドル部材１０の上端から後方に向けて延設された略Ｌ字状のフック部１３が前記スライド溝１２に掛けられている。
【００２８】
而して、ピニオンギア４がギアモータ３の駆動によって回転されることで、サドル部材１０はスライド機構部２の前面に対して任意のスライド送りピッチで左右方向に沿って水平（前方から見て横方向）にスライドする。従って、ギアモータ３の駆動方向を正逆反転させることで、サドル部材１０のスライド方向が逆転するものとなる。
【００２９】
図２に示すように、前記サドル部材１０の前面には、切削機構部１４が上下移動可能に配設されている。すなわち、この切削機構部１４は、サドル部材１０の前面に沿って、例えば、ラック・ピニオンギア機構等による任意のスライド送りピッチで上下方向へ移動可能にした長尺なガイドレール部材（図示省略）を備え、更にガイドレール部材の長手方向に沿って配されているボールネジ（図示省略）等に螺着され、該ボールネジにハンドルを嵌合して回動することにより上下方向に沿ってスライド可能とした切削用アタッチメント１５を備えている。
【００３０】
上記切削用アタッチメント１５は、図２に示すように、筒状の昇降部１５ａの内側にシャフト１６が上下一対のスラスト軸受１７ａ，１７ｂを介して回転可能に枢着されて成り、シャフト１６の上端には大径スプロケット１８が一体となって取り付けられている。また、昇降部１５ａの上端には水平な長円形状の基板１９が設けられ、前記大径スプロケット１８はこの基板１９上の一端側に配されている。なお、基板１９にはカバー１９ａを被せてある。
【００３１】
一方、基板１９の他端側下部には、回転モータ２０が上向きに固設されており、該回転モータ２０の上方に向けられた回転軸（図示省略）には小径スプロケット２１が固着されて基板１９上の他端側に配されている。これら大径スプロケット１８及び小径スプロケット２１にはエンドレスチェーン２２が架けられており、上記回転モータ２０の駆動によって小径スプロケット２１が回転することで、エンドレスチェーン２２を介して大径スプロケット１８が連動回転するものとしてある。なお、図２（ａ）中の符号２３は、エンドレスチェーン２２に所定の張力を掛けるためのテンションギアである。
【００３２】
シャフト１６の下端には、カッタ２４が着脱可能で且つ上下方向に微調整可能となって連結されている。カッタ２４はボルト２５で緊締され、カッタ２４の交換が可能であり、また、必要に応じて切削用アタッチメント１５全体を他の用途のアタッチメントに交換することが可能である。
【００３３】
上記したように、両マグネットベース１の上面に架設されているスライド機構部２は、横幅が両マグネットベース１の各外側面同士の間隔よりも大きく成してある。そして、図１（ａ）に示すように、両マグネットベース１から互いに外方へ向けて延長されているスライド機構部２の左右両端下面には、左右両側のマグネットベース１ごとスライド機構部２の左右両端側を持ち上げて前後方向に移動可能とした昇降式移動手段３１が据え付けられる。
【００３４】
すなわち、昇降式移動手段３１は、図３に示すように、下部の四隅に車輪３２を備え且つ操作棒３８によって手押しもしくは牽引させて移動可能とした台車３３と、該台車３３に対し後端左右側の各軸部３４を介して前端側を起伏自在とし且つ先端側上面に椀状の支持部３５を備えた昇降部３６と、昇降部３６下側の台車３３内側に配され、供給される油圧力で台車３３に対し昇降部３６を隆起させる油圧ジャッキ３７とから成る、油圧式ジャッキ機構部によって構成されている。これにより昇降部３６上面の支持部３５でもってスライド機構部２の左右両端側が持ち上げられるものとなる。なお、この油圧式ジャッキ機構部は、本実施形態での一実施例に過ぎず、その他の機構として例えば梃子揺動式等のジャッキ機構部であっても良い。また、上記左右両端下面に昇降式移動手段となる椀状の支持部３５を予め据え付けておき、車輪３２側が昇降するような機構であってもよい。
【実施例２】
【００３５】
次に、以上のように構成された最良の形態についての移動式加工法の一実施例について説明する。
【００３６】
スライド機構部２の左右両端下面それぞれに、上記した油圧式ジャッキ機構部によって構成されている昇降式移動手段３１を、各操作棒３８による手押操作もしくは牽引操作によって移動させることで据え付ける。
【００３７】
マグネットベース１の電磁マグネットを非通電状態にしてプレス機械の台座盤に対して離脱可能な状態にしておき、前記昇降式移動手段３１によってマグネットベース１ごとスライド機構部２の左右両端側を持ち上げ、各操作棒３８による手押操作もしくは牽引操作によって、プレス機械の台座盤の所望の切削位置まで移動させる。
【００３８】
昇降式移動手段３１の油圧ジャッキ３７の油圧を減じて、台車３３に対し昇降部３６を倒伏させることで、スライド機構部２を下降させ、マグネットベース１の電磁マグネットを通電状態にして台座盤に吸着させる。このとき更に油圧ジャッキ３７の油圧を減じて、上側の支持部３５をスライド機構部２の左右両端下面それぞれから離脱させておく。
【００３９】
切削機構部１４によってプレス機械の台座盤上の切削加工を行う。このとき、ギアモータ３の駆動により切削用アタッチメント１５をスライド機構部２の左右方向に沿ってスライドさせながら、回転モータ２０の駆動でカッタ２４による台座盤上の切削研磨加工を行う。
【００４０】
切削加工後には、前記と同様にマグネットベース１による台座盤に対する吸着を解除させ、昇降式移動手段３１によってマグネットベース１ごとスライド機構部２の左右両端側を再度持ち上げる。
【００４１】
そして、各操作棒３８による手押操作もしくは牽引操作によってフライスユニットをプレス機械の台座盤の新たな切削位置まで移動させる。以後、これら上記した各工程を順次繰り返す。
【実施例３】
【００４２】
図４には、本発明に係るフライスユニットの昇降式移動手段３１の他の実施例が示されている。なお、本実施例においては、上記した本実施形態と同じ構成部分には、同じ符号を付すことでその詳細な説明を省略する。
【００４３】
本実施例では、昇降式移動手段３１がフライスユニットと一体型と成してある。すなわち、本実施例における昇降式移動手段３１は、図４（ａ）に示すように、前記スライド機構部２の左右両端側に各付設された矩形ブロック状の油圧シリンダ内蔵ブラケット４１と、該油圧シリンダ内蔵ブラケット４１によるシリンダの油圧調整を介して昇降自在とした前後一対の伸縮ロッド４２と、該伸縮ロッド４２の下端に取り付けられたキャタピラー付車輪４３を回転自在に支持している略コ字枠状の車装ブラケット４４とによって構成されている。
【００４４】
そして、それぞれ左右一対となった前側車輪及び後側車輪の合計４個のスプロケット構造による車輪４３がブラケット４４の中央に設けられた仕切板４５を介して前後２輪が対となって左右に分かれた状態で回転自在に軸支され、左右の前後２輪には図４（ｂ）に示すようにキャタピラー４６が巻装されている。このキャタピラー４６とは、ゴムクローラとも称する無端履帯であって、例えば鋳造あるいは鍛造の鉄材等で形成した芯金が一定のピッチ間隔をもってゴムベルト中に埋設され、これを外側より、細いピアノ線等を撚ってワイヤにしたスチールコード等の張力保持用の抗張体が囲んだ構造を有しており、ゴムベルトにて芯金の動きは規制されてはいるものの、芯金はゴムベルト中でかなりの自由度をもって動くことが可能となっている。
【００４５】
各油圧シリンダ内蔵ブラケット４１に内蔵されている前後一対のシリンダそれぞれには、二又の電磁弁５１を備えており、該電磁弁５１は導通パイプ５３を介して油給送ポンプ５０に連結されている。更に、電磁弁５１及び油給送ポンプ５０は外部の操作盤５２によって無線通信で制御可能となっている。また、操作盤５２からの、例えば、パスワードでデジタル化した無線信号により電磁弁５１を開閉させ、且つ油給送ポンプ５０を作動させることで各シリンダに対する油圧の調整が可能となっている。
【００４６】
これにより、図４（ｂ）に示すように、各シリンダにおける油圧によってキャタピラー付車輪４３を上昇位置から下降位置まで移動させることで、装置全体を容易に持ち上げることができる。しかもこのように持ち上げられている状態での装置全体の前後移動もキャタピラー付車輪４３を回転駆動させることにより上下動なく安定状態でスムーズに行える。
【実施例４】
【００４７】
図５には、本発明に係るフライスユニットの昇降式移動手段３１及び切削機構部１４の他の実施例が示されている。なお、本実施例においては、上記した本実施形態と同じ構成部分には、同じ符号を付すことでその詳細な説明を省略する。
【００４８】
図５（ｂ）に示すように、本実施例では、左右一対のマグネットベース１の各上に台座部１ａを介装させることでスライド機構部２の高さ位置を大きくしてあり、こうすることで、切削機構部１４の上下方向に沿ってスライド可能とした切削用アタッチメント１５の昇降ストローク範囲に十分に対処できるようにしてある。
【００４９】
図５（ａ）及び図５（ｂ）に示すように、前記切削用アタッチメント１５の昇降部１５ｂの内側に前記シャフト１６が上下一対のラジアル軸受６１ａ，６１ｂを介して回転可能に枢着され、シャフト１６の上端に前記回転モータ２０が下向きに固設され、該回転モータ２０の下方に向けられた回転軸２０ａが前記シャフト１６の上端に固着されている。
【００５０】
また、昇降部１５ｂの下端側前面には円筒状の筐体６１が設けられ、該筐体６１内には、下端側にカッタ２４を着脱可能に連結した切削ギア６２を上下一対のスラスト軸受６３ａ，６３ｂを介して回転可能に枢着させてある。この切削ギア６２は中間の伝達ギア６４を介して前記シャフト１６の下端に固着されている駆動ギア６５に噛合されている。而して、回転モータ２０の駆動によってシャフト１６、駆動ギア６５、伝達ギア６４、切削ギア６２を通じてカッタ２４が回転する。なお、前記筐体６１は、昇降部１５ｂを中心にして９０°及び１８０°に水平回転できるようにしてあり、これによりフライスユニットの１度の据付でもって３列を同時に切削加工できるようにしてある。
【符号の説明】
【００５１】
１      マグネットベース
２      スライド機構部
３      ギアモータ
４      ピニオンギア
５      凹陥部
７      駆動ギア
８      伝達ギア
９      接続端子部
１０    サドル部材
１０ａ  アリ溝継ぎ手部
１０ｂ  ラック
１１    スライドレール
１２    スライド溝
１３    フック部
１４    切削機構部
２４    カッタ
３１    昇降式移動手段
３２    車輪
３３    台車
３４    軸部
３５    支持部
３６    昇降部
３７    油圧ジャッキ
３８    操作棒
４１    油圧シリンダ内蔵ブラケット
４２    伸縮ロッド
４３    キャタピラー付車輪
４４    車装ブラケット
【図１】
2015217455.tif 000003
【図２（ａ）】
2015217455.tif 000004
【図２（ｂ）】
2015217455.tif 000005
【図３】
2015217455.tif 000006
【図４（ａ）】
2015217455.tif 000007
【図４（ｂ）】
2015217455.tif 000008
【図５（ａ）】
2015217455.tif 000009
【図５（ｂ）】
2015217455.tif 000010
【手続補正書】
【提出日】平成27年3月16日(2015.3.16)
【手続補正１】
【補正対象書類名】明細書
【補正対象項目名】０００９
【補正方法】変更
【補正の内容】
【０００９】
上述した課題を解決するために、本発明に係るマグネット固定式コンパクトフライスにあっては、電磁マグネットによりプレス機械の台座盤に対して吸着離脱可能とされたマグネットベースと、該マグネットベース上で左右に幅広となって固設されたスライド機構部と、当該スライド機構部に対して任意のスライド送りピッチで左右方向に沿って水平移動可能に設けられた切削機構部と、該切削機構部に取り替え自在に設けられたカッタが上下方向に調整自在に設けられて成るマグネット固定式コンパクトフライスであって、スライド機構部の左右方向に幅広に形成し、その延長させた両端側に矩形ブロック状の油圧シリンダ内臓ブラケットを該マグネットベースの外側面より外方となる位置に設け、該油圧シリンダ内臓ブラケットの下部に昇降式移動手段を備え、該昇降式移動手段は、該油圧シリンダ内蔵ブラケットによるシリンダの油圧調整を介して昇降自在とした車輪又はキャタピラー付車輪を構成し、その油圧調整は操作盤からのパスワードでデジタル化した無線信号により電磁弁を開閉させることで前記マグネットベースを含め本体の昇降及び移動の調整を行うことを特徴とする。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、上記本発明に係るマグネット固定式コンパクトフライスによる移動式加工法にあっては、スライド機構部の左右方向に幅広に形成し、その延長させた両端側に矩形ブロック状の油圧シリンダ内臓ブラケットを固定手段となるマグネットベースの外側面より各々外方となる位置に設け、該油圧シリンダ内臓ブラケットの下部に設けた昇降式移動手段によって該油圧シリンダのシリンダを操作盤からのパスワードでデジタル化した無線信号により電磁弁を開閉させることで油圧調整してスライド機構部の左右両端側をマグネットベースを含めて持ち上げてプレス機械の台座盤の切削位置まで移動させる工程と、前記昇降式移動手段によってスライド機構部を下降させてマグネットベースを台座盤に吸着させる工程と、切削機構部のカッタによって切削加工する工程と、切削加工後にマグネットベースによる台座盤に対する吸着を解除させ、前記昇降式移動手段によってマグネットベースごとスライド機構部の左右両端側を上記と同様の油圧調整により再度持ち上げる工程と、プレス機械の台座盤の新たな切削位置まで移動させる工程と、を順次繰り返すものとしたことを特徴とする。
【手続補正６】
【補正対象書類名】特許請求の範囲
【補正対象項目名】全文
【補正方法】変更
【補正の内容】
【特許請求の範囲】
【請求項１】
電磁マグネットによりプレス機械の台座盤に対して吸着離脱可能とされたマグネットベースと、該マグネットベース上で左右に幅広となって固設されたスライド機構部と、当該スライド機構部に対して任意のスライド送りピッチで左右方向に沿って水平移動可能に設けられた切削機構部と、該切削機構部に取り替え自在に設けられたカッタが上下方向に調整自在に設けられて成るマグネット固定式コンパクトフライスであって、スライド機構部の左右方向に幅広に形成し、その延長させた両端側に矩形ブロック状の油圧シリンダ内臓ブラケットを該マグネットベースの外側面より外方となる位置に設け、該油圧シリンダ内臓ブラケットの下部に昇降式移動手段を備え、該昇降式移動手段は、該油圧シリンダ内蔵ブラケットによるシリンダの油圧調整を介して昇降自在とした車輪又はキャタピラー付車輪を構成し、その油圧調整は操作盤からのパスワードでデジタル化した無線信号により電磁弁を開閉させることで前記マグネットベースを含め本体の昇降及び移動の調整を行うことを特徴とするマグネット固定式コンパクトフライス。
【請求項２】
請求項１記載のマグネット固定式コンパクトフライスによる移動式加工法であって、スライド機構部の左右方向に幅広に形成し、その延長させた両端側に矩形ブロック状の油圧シリンダ内臓ブラケットを固定手段となるマグネットベースの外側面より各々外方となる位置に設け、該油圧シリンダ内臓ブラケットの下部に設けた昇降式移動手段によって該油圧シリンダのシリンダを操作盤からのパスワードでデジタル化した無線信号により電磁弁を開閉させることで油圧調整してスライド機構部の左右両端側をマグネットベースを含めて持ち上げてプレス機械の台座盤の切削位置まで移動させる工程と、前記昇降式移動手段によってスライド機構部を下降させてマグネットベースを台座盤に吸着させる工程と、切削機構部のカッタによって切削加工する工程と、切削加工後にマグネットベースによる台座盤に対する吸着を解除させ、前記昇降式移動手段によってマグネットベースごとスライド機構部の左右両端側を上記と同様の油圧調整により再度持ち上げる工程と、プレス機械の台座盤の新たな切削位置まで移動させる工程と、を順次繰り返すものとしたことを特徴とするマグネット固定式コンパクトフライスによる移動式加工法。